(57)【要約】【課題】蒸気等の内容物が噴きこぼれることのない電子レンジ加熱調理用の容器を提供すること。【解決手段】上面が開口（２）した容器本体と、容器本体の開口面（２）に被せる蓋体（２０）とからなるお碗型の電子レンジ加熱調理容器（１）であり、蓋体（２０）は前後が通気口（３）となるようにコの字状に形成され、蓋体を容器本体に被せて容器とした際、蓋体と開口面（２）の間に４ｃｍ以上の間隔を有すると共に、容器本体の容器高さ（Ｈ）と底面積（Ｓ）との間にＨ＝５００／Ｓの関係が成立し、調理時に容器本体に加える水の量が底面から２ｃｍ未満になるように容器容量が設定されている。【選択図】図１
2005324840.tif 000002
【特許請求の範囲】
【請求項１】
上面が開口した容器本体と、容器本体の開口面に被せる蓋体とからなるお碗型の電子レンジ加熱調理用容器において、
前記蓋体は、内面が通気口となるようコの字状に形成され、
蓋体を容器本体に被せて容器に組み立てた際、蓋体の天面と容器本体の開口面の間に４ｃｍ以上の間隔が設けられると共に、
前記容器本体の容器高さ（Ｈ）と底面積（Ｓ）との間に、
Ｈ＝５００／Ｓ  
の関係が成立し、調理時に容器本体に加えられる水の量が底面から２ｃｍ未満になるように容器容量が設定されていることを特徴とする、電子レンジ加熱調理用容器。
【請求項２】
前記容器本体の形状が方形であり、かつ、開口面が上方に行くに従い広くなる形状であることを特徴とする、請求項１記載の電子レンジ加熱調理用容器。
【請求項３】
前記蓋体の天面板は、容器本体の底面板よりも一回り大きく形成されていることを特徴とする、請求項１又は２記載の電子レンジ加熱調理用容器。
【請求項４】
上面が開口した容器本体と、容器本体の開口面に被せる蓋体とからなるお碗型の電子レンジ加熱調理用容器において、
方形の底面板の一方の相対向する二辺には折り曲げ線を介して外方に行くに従い拡がる台形状の縦側面板が形成され、
縦側面板の端縁には第２折り曲げ線を介して折り曲げ片が連設され、
方形の底面板のもう一方の相対向する二辺には折り曲げ線を介して外方に行くに従い拡がる台形状の横側面板が形成され、
横側面板の端縁には谷折り線を介して縁片が連設され、
互いに隣接する縦側面板と横側面板とはそれぞれ斜め折り曲げ線を介して舌片に連設され、
前記舌片は底面板の隅角から斜め外方に延びる山折り線により二分され、
前記二つの折り曲げ片の縦側面板寄り端縁の略中央部分には縦側面板から折り曲げ片に入り込む切り欠きが穿設された構成からなる容器本体ブランクを、
樹脂コート面を内側にして上面が開口した容器本体に組み立て、
前記容器本体ブランクの底面板より大きめの方形の天面板の一方の相対向する二辺には折り曲げ線を介して外方に行くに従い拡がる台形状の蓋側面板が連設され、蓋側面板の中央寄りの端縁には、容器本体の切り欠きに挿入可能な差し込み片が蓋側面板の端縁から突出して形成され、
方形の天面板のもう一方の相対向する二辺には折り曲げ線を介して蓋側面板より浅い折り曲げ片が連設され、た構成からなる蓋体ブランクを、樹脂コート面を内側にして容器本体の開口面に被せる蓋体に組み立て、組み立てた蓋体の差し込み片を容器本体のそれぞれの切り欠きに差し込み、蓋体を容器本体の開口面に固定した時、
蓋体の内面にはコの字状の通気口が設けられると共に、蓋体の天面板と容器本体の開口面の間に４ｃｍ以上の間隔があけられ、
容器本体の容器高さ（Ｈ）と底面積（Ｓ）との間に、
Ｈ＝５００／Ｓの関係が成立し、調理時に容器本体に加えられる水の量が底面から２ｃｍ未満になるように容器容量が設定されていることを特徴とする、電子レンジ加熱調理用容器。
【請求項５】
前記容器本体の折り曲げ片の略中央部分に円形開口が穿設されていることを特徴とする、請求項４記載の電子レンジ加熱調理用容器。
【発明の詳細な説明】
【技術分野】
【０００１】
本発明は、電子レンジ加熱調理用容器に関するものであり、特には、液状の内容物を長時間電子レンジで加熱調理しても液状物の噴きこぼれを防止する電子レンジ加熱調理用容器に関する。
【背景技術】
【０００２】
現在、電子レンジ加熱可能な容器は数多く発売されているが、どの商品も２分前後の加熱時間にてレトルト具材とレトルトご飯、レトルト麺などを加熱する仕様のものである。
【０００３】
これらの容器を用いて長時間の電子レンジ加熱をすると、液状の内容物は噴きこぼれてしまい、電子レンジ庫内を著しく汚染してしまう。また、２分前後の加熱時間ではレトルトの具材を加熱するのが限界であり、おいしさを向上させるために乾麺、乾燥パスタ、生米などを使用しようとしてもそれらを茹で戻すことができない。無理に茹で戻そうとすると、上記のような噴きこぼれが発生する。
【０００４】
よって、現在市販されている電子レンジ加熱可能な容器は全てレトルトされた具材と主食を加熱するためのものに留まっている。
【発明の開示】
【発明が解決しようとする課題】
【０００５】
本発明は、電子レンジ加熱可能な容器に関する以上のような問題に鑑みてなされたもので、液体を含んだ食品等の内容物を長時間電子レンジで加熱しても発生する蒸気等の内容物が噴きこぼれることのない電子レンジ加熱調理用の容器を提供することを課題とする。
【課題を解決するための手段】
【０００６】
本発明の請求項１の発明は、上面が開口した容器本体と、容器本体の開口面に被せる蓋体とからなるお碗型の電子レンジ加熱調理用容器において、前記蓋体は、内面が通気口となるようコの字状に形成され、蓋体を容器本体に被せて容器に組み立てた際、蓋体の天面板と容器本体の開口面の間に４ｃｍ以上の間隔が設けられると共に、前記容器本体の容器高さ（Ｈ）と底面積（Ｓ）との間に、Ｈ＝５００／Ｓの関係が成立し、調理時に容易本体に加えられる水の量が底面から２ｃｍ未満になるように容器容量が設定されていることを特徴とする、電子レンジ加熱調理用容器である。
【０００７】
このように請求項１記載の発明によれば、上面が開口した容器本体と、容器本体の開口部に被せる蓋体とからなるお碗型の電子レンジ加熱調理用容器において、前記蓋体は、内面が通気口となるようコの字状に形成され、蓋体を容器本体に被せて容器に組み立てた際、蓋体の天面板と容器本体の開口面の間に４ｃｍ以上の間隔が設けられているので、容器ごと電子レンジで加熱しても、内容物の沸騰により発生する泡が容器内壁を伝わって徐々に競り上がってきても通気口から効果的に外気が導入され、発生する泡は冷却されて噴きこぼれを防止することができる。
【０００８】
また、容器本体の容器高さ（Ｈ）と底面積（Ｓ）との間に、Ｈ＝５００／Ｓの関係が成立し、調理時に容易本体に加えられる水の量が底面から２ｃｍ未満になるように容器容量が設定されているので、容器ごと電子レンジで長時間加熱しても、内容物の沸騰により発生する泡が容器から噴きこぼれることはない。
【０００９】
また、請求項２の発明は、請求項１の発明において、前記容器本体の形状が方形であり
、かつ、開口面が上方に行くに従い広くなる形状であることを特徴とする、電子レンジ加熱調理用容器である。
【００１０】
このように請求項２記載の発明によれば、容器本体の形状が方形であり、かつ、開口面が上方に行くに従い広くなる形状であるので、容器ごと電子レンジ加熱調理した際、内容物の沸騰により発生する泡は隅角部分から競り上がりをはじめ、開口部が隅角を効率良く冷却して噴きこぼれを防止するとができる。
【００１１】
また、請求項３の発明は、請求項１又は２の発明において、前記蓋体の天面板は、容器本体の底面板よりも一回り大きく形成されていることを特徴とする、電子レンジ加熱調理用容器である。
【００１２】
このように請求項３記載の発明によれば、蓋体の天面板は、容器本体の底面板よりも一回り大きく形成されているので、容器ごと電子レンジ加熱調理した際、発生する蒸気はすべて容器内部にこもり外に噴き出すことはない。
【００１３】
また、請求項４の発明は、上面が開口した容器本体と、容器本体の開口面に被せる蓋体とからなるお碗型の電子レンジ加熱調理用容器において、方形の底面板の一方の相対向する二辺には折り曲げ線を介して外方に行くに従い拡がる台形状の縦側面板が連設され、縦側面板の端縁には第２折り曲げ線を介して折り曲げ片が連設され、方形の底面板のもう一方の相対向する二辺には折り曲げ線を介して外方に行くに従い拡がる台形状の横側面板が連設され、横側面板の端縁には谷折り線を介して縁片が連設され、互いに隣接する縦側面板と横側面板とはそれぞれ斜め折り曲げ線を介して舌片に連設され、前記舌片は底面板の隅角から斜め外方に延びる山折り線により二分され、前記二つの折り曲げ片の縦側面板寄り端縁の略中央部分には縦側面板から折り曲げ片に入り込む切り欠きが穿設され、た構成からなる容器本体ブランクを、樹脂コート面を内側にして上面が開口した容器本体に組み立て、前記容器本体ブランクの底面板より大きめの方形の天面板の一方の相対向する二辺には折り曲げ線を介して外方に行くに従い拡がる台形状の蓋側面板が連設され、蓋側面板の中央寄りの端縁には，容器本体の切り欠きに挿入可能な差し込み片が蓋側面板の端縁から突出して形成され、方形の天面板のもう一方の相対向する二辺には折り曲げ線を介して蓋側面板より浅い折り曲げ片が連設された、構成からなる蓋体ブランクを、樹脂コート面を内側にして容器本体の開口面に被せる蓋体に組み立て、組み立てた蓋体の差し込み片を容器本体のそれぞれの切り欠きに差し込み、蓋体を容器本体の開口面に固定した時、蓋体の内面にはコの字状の通気口が設けられると共に、蓋体の天面板と容器本体の開口面の間に４ｃｍ以上の間隔があけられ、容器本体の容器高さ（Ｈ）と底面積（Ｓ）との間に、Ｈ＝５００／Ｓの関係が成立し、調理時に容器本体に加えられる水の量が底面から２ｃｍ未満になるように容器容量が設定されていることを特徴とする、電子レンジ加熱調理用容器である。
【００１４】
また、請求項５の発明は、請求項４の発明において、前記容器本体の折り曲げ片の略中央部分に円形開口が穿設されていることを特徴とする、電子レンジ加熱調理用容器である。
【００１５】
このように請求項５記載の発明によれば、容器本体の折り曲げ片の略中央部分に円形開口が穿設されているので、電子レンジから容器を取り出す際の指のひっかかりになったり、箸などの細長いものを挿して引き出したりすることができる。
【発明の効果】
【００１６】
このように本発明の電子レンジ加熱調理用容器を使用することにより、液状内容物を長時間電子レンジで加熱することができるようになるので、乾麺、乾燥パスタ、生米など、
通常では茹で戻すのに５〜１０分かかるようなものでも、電子レンジで手軽に加熱調理することが可能になる。
【００１７】
乾麺、乾燥パスタ、生米などを使用することによって、従来のレトルト品と比較して大幅に美味しさの向上した電子レンジ対応食品を作製することができる。また、電子レンジ中での蒸し焼き、煮炊きが可能になることから、電子レンジ対応食品の種類を増やしていくことも可能となる。
【発明を実施するための最良の形態】
【００１８】
本発明を一実施形態に基づいて以下に詳細に説明する。
【００１９】
本発明の電子レンジ加熱調理用容器は、例えば、図１、図２に示すように、上面が開口（２）した容器本体（１０）と、容器本体の開口面（２）に被せる蓋体（２０）とからなるお碗型の電子レンジ加熱調理用容器（１）である。
【００２０】
蓋体（２０）は、内面が通気口（３）となるようコの字状に形成され、蓋体（２０）を容器本体（１０）に被せて容器に組み立てた際、蓋体の天面板と容器本体の開口面（２）の間（Ｔ）に４ｃｍ以上の間隔を有すると共に、前記容器本体（１０）の容器高さ（Ｈ）と底面積（Ｓ）との間に、Ｈ＝５００／Ｓの関係が成立し、調理時に容易本体に加えられる水の量が底面から２ｃｍ未満になるように容器容量が設定されていることを特徴とする。
【００２１】
すなわち、容器本体の寸法は内容物に合わせて設定すれが良いが、容器本体の高さは低面積のよって設定値が限られてくる。例えば、低面積（Ｓ）が１００ｃｍ2 であれば、高さ（Ｈ）は５ｃｍ以上、低面積（Ｓ）が２００ｃｍ2 であれば、高さ（Ｈ）は２．５ｃｍ以上なくてはならないというように、低面積に反比例して高さを変化させる必要がある。
【００２２】
この関係を近似すると、容器高さ（Ｈ）＝５００／低面積（Ｓ）という関係を導くことができる。もちろん、低面積が極端に大きくても高さが必要なくなるわけではないので、あくまでも容器としての体を成す範囲での適用となる。
【００２３】
また、内容物として加えられる水の量が底から２ｃｍ以内になるように容器の容量を設定する必要がある。
さらに、蓋体（２０）に関しては、脇に設けた通気口の大きさが非常に重要な要素となる。この部分の高さが４０ｍｍ以上ないと、容器本体の高さがどれだけあっても噴きこぼれが発生してしまう。
但し、通気口の高さを高くし過ぎると、内容物が沸騰したときの内容物の飛び散りがひどくなり、電子レンジの庫内を汚染してしまうので、４０ｍｍ程度の値に設定することが妥当である。
【００２４】
容器本体（１０）は、方形であって、かつ、開口面が上方に行くに従って広くなる形状であることが望ましい。このことにより、容器を電子レンジ加熱した場合、内容物の沸騰により発生する泡は、方形の底面の隅角部分から稜線に沿って競り上がりをはじめるが、開口部が隅角部分から効率良く冷却をはじめるため、泡が消滅してせりあがり抑えられるからである。
【００２５】
容器本体（１０）は、ポリプロピレン（ＰＰ）樹脂、結晶性ポリエチレンテレフタレート（Ｃ−ＰＥＴ）樹脂、ポリブチレンテレフタレート（ＰＢＴ）樹脂、ポリエーテルエーテルケトン（ＰＥＥＫ）樹脂、アクリルニトリル−ブタジエン−スチレン共重合体（ＡＢＳ）樹脂等の耐熱性に優れたプラスチック樹脂の射出成形、シート成形等によって作製す
ることができるが、耐熱性樹脂を貼った複合板紙を用いた４コーナー貼り箱、紙カップなどでも良い。板紙に貼る樹脂は、内容物により要求される耐熱性を考慮して選定すれば良いが、ポリエチレン、ポリプロピレン、ポリエチレンテレフタレート、ポリブチレンテレフタレート、ポリメチルペンテン、ポリエーテルエーテルケトンなどが考えられる。
蓋体（２０）も容器本体（１０）と同様に考えて作製すれば良い。
【００２６】
ここで、本発明の電子レンジ加熱調理用容器の具体例をさらに詳細に説明する。
図３は、電子レンジ加熱調理用容器の容器本体（１０）を展開したブランク（４）の一実施例を示す展開説明図である。なお、ブランクは坪量が３００ｇ／ｍ2 のカップ原紙の片面にポリブチレンテレフタレート樹脂を２０μｍの厚さに塗布した樹脂コート紙を用いた。
【００２７】
方形の底面板（１１）の一方の相対向する二辺には折り曲げ線（ａ）を介して外方に行くに従い拡がる台形状の縦側面板（１２）が連設され、縦側面板（１２）の端縁には第２折り曲げ線（ｂ）を介して折り曲げ片（１３）が連設されている。
【００２８】
底面板（１１）のもう一方の相対向する二辺には折り曲げ線（ｃ）を介して外方に行くに従い拡がる台形状の横側面板（１４）が連設され、横側面板（１４）の端縁には谷折り線（ｄ）を介して縁片（１５）が連設されている。
【００２９】
互いに隣接する縦側面板（１２）と横側面板（１４）とはそれぞれ斜め折り曲げ線（ｅ）を介して舌片（１６）に連設され、前記舌片（１６）は底面板（１１）の隅角から斜め外方に延びる山折り線（ｆ）により二分されている。
【００３０】
二つの折り曲げ片（１３、１３）の縦側面板（１２）寄り端縁の略中央部分には縦側面板（１２）から折り曲げ片（１３）に入り込む切り欠き（ｇ）が穿設されている。
【００３１】
それぞれの折り曲げ片（１３）の略中央部分には円形開口（ｈ）が穿設さている。
【００３２】
このような構成からなる容器本体ブランク（４）を折り曲げ線などに沿って折り曲げ、折り曲げた４つの舌片（１６）をそれぞれ縦側面板（１２）側あるいは横側面板（１４）側に折り曲げると共に貼着して、樹脂コート面を内側にして上面が開口した容器本体（１０）に組み上げる。
【００３３】
図４は、電子レンジ加熱調理用容器の蓋体（２０）を展開したブランク（５）の一実施例を示す展開説明図である。なお、ブランクは容器本体と同様に坪量が３００ｇ／ｍ2 のカップ原紙の片面にポリブチレンテレフタレート樹脂を２０μｍの厚さに塗布した樹脂コート紙を用いた。
【００３４】
底面板（１１）より略大きめの方形の天面板（２１）の一方の相対向する二辺には折り曲げ線を介して外方に行くに従い拡がる台形状の蓋側面板（２２）が連設され、蓋側面板（２２）の中央寄りの端縁には、容器本体の切り欠き（ｇ）に挿入可能な差し込み片（２３）が蓋側面板（２２）の端縁から突出して形成されている。
【００３５】
天面板（２１）のもう一方の相対向する二辺には折り曲げ線を介して蓋側面板（２２）より浅い折り曲げ片（２４）が折り曲げ線を介して連設されている。折り曲げ片（２４）設けなくても良いが、設けることにより蓋体に組み立てた際、蓋体の天面板（２１）が反り上がったりせずに安定する。
【００３６】
このような構成からなる蓋体ブランク（５）を折り曲げ線に沿って折り曲げ、樹脂コー
ト面を内側にして容器本体の開口部に被せるコの字状の蓋体に組み上げる。コの字状に組み上げることにより蓋体の内面は通気口（３）となる。
【００３７】
組み上げた蓋体（２０）を容器本体（１０）の開口面に被せるように、それぞれの蓋側面板（２２、２２）に設けられた差し込み片（２３、２３）を容器本体（１０）のそれぞれの切り欠き（ｇ、ｇ）に差し込み、蓋体（２０）を容器本体（１０）の開口面の上に固定して蓋体と容器本体の間に開口が設けられた本発明の電子レンジ加熱調理用容器（１）とする。
【００３８】
ここで、容器の具体的な寸法を例示する。
【００３９】
容器本体（１０）の底面板（１１）は、１３０ｍｍ×１０５ｍｍ、縦側面板（１２）と横側面板（１４）の高さは、６０ｍｍ、底面板から上方への開き角度は１０５°、容器本体の高さは約５７ｍｍである。
【００４０】
また、蓋体（２０）の天面板（２１）は、１３５ｍｍ×１０９ｍｍ、蓋側面板（２２）の高さは４０ｍｍ、調理時に容器本体に加えられる水の量は底面から２ｃｍ未満である。
【図面の簡単な説明】
【００４１】
【図１】本発明の電子レンジ用加熱調理容器の一実施例を示す、斜視説明図である。
【図２】図１の電子レンジ用加熱調理容器の容器本体と蓋体を別々に示す、斜視説明図である。
【図３】本発明の電子レンジ用加熱調理容器に使用する容器本体の一実施例のブランクの展開説明図である。
【図４】本発明の電子レンジ用加熱調理容器に使用する蓋体の一実施例のブランクの展開説明図である。
【符号の説明】
【００４２】
１‥‥電子レンジ加熱調理用容器
２‥‥開口、開口面
３‥‥通気口
４‥‥容器本体ブランク
５‥‥蓋体ブランク
１０‥‥容器本体
１１‥‥底面板
１２‥‥縦側面板
１３‥‥折り曲げ片
１４‥‥横側面板
１５‥‥縁片
１６‥‥舌片
２０‥‥蓋体
２１‥‥天面板
２２‥‥蓋側面板
２３‥‥差し込み片
２４‥‥折り曲げ片
ａ‥‥折り曲げ線
ｂ‥‥第２折り曲げ線
ｃ‥‥折り曲げ線
ｄ‥‥谷折り線
ｅ‥‥斜め折り曲げ線
ｆ‥‥山折り線
ｇ‥‥切り欠き
ｈ‥‥円形開口
【図１】
2005324840.tif 000003
【図２】
2005324840.tif 000004
【図３】
2005324840.tif 000005
【図４】
2005324840.tif 000006